(57)【要約】【課題】  投光機のメンテナンス性を向上させる。【解決手段】  本発明に係る投光機は、照明装置と、照明装置に電力を供給するバッテリー６１，６２と、バッテリー６１，６２を充電するための電力を外部電源からバッテリー６１，６２に供給する充電器と、バッテリー６１，６２および照明装置と電気的に接続されてバッテリー６１，６２から流れる電流を直流から交流に変換して照明装置に送るインバータ式安定器と、上部に開口５１ａを有する箱状に形成されてバッテリー６１，６２が収容されるバッテリー収容部材５と、バッテリー収容部材５の上部に開口５１ａを覆って開閉可能に取り付けられ、充電器およびインバータ式安定器が収容される制御部収容部材７とを備えて構成される。【選択図】  図２
2006004763.tif 000002
【特許請求の範囲】
【請求項１】
照明装置と、
前記照明装置に電力を供給するバッテリーと、
前記バッテリーを充電するための電力を外部電源から前記バッテリーに供給する充電器と、
前記バッテリーおよび前記照明装置と電気的に接続されて前記バッテリーから流れる電流を直流から交流に変換して前記照明装置に送るインバータ式安定器と、
上部に開口を有する箱状に形成されて前記バッテリーが収容されるバッテリー収容部材と、
前記バッテリー収容部材の上部に前記開口を覆って開閉可能に取り付けられ、前記充電器および前記インバータ式安定器が収容される制御部収容部材とを備えて構成されることを特徴とする投光機。
【請求項２】
前記バッテリー収容部材の側部にカバー部材が開閉可能に取り付けられており、
前記カバー部材を開いて前記バッテリー収容部材の側部を開放し、開放された前記バッテリー収容部材の側部から前記バッテリーが前記バッテリー収容部材の内部に収納されることを特徴とする請求項１に記載の投光機。
【請求項３】
前記照明装置を昇降自在に支持する昇降装置と、
前記昇降装置および前記バッテリー収容部材が搭載されて移動可能な台車とを備えて構成されることを特徴とする請求項１もしくは請求項２に記載の投光機。
【請求項４】
前記バッテリーが、互いに独立して設けられた第１および第２バッテリーから構成され、
前記充電器が、前記第１バッテリーと電気的に接続された第１充電器と、前記第２バッテリーと電気的に接続された第２充電器とを有して構成され、
前記インバータ式安定器が、前記第１バッテリーと電気的に接続された第１安定器と、前記第２バッテリーと電気的に接続された第２安定器とを有して構成され、
前記照明装置が、前記第１安定器を介して前記第１バッテリーと電気的に接続された第１ランプと、前記第２安定器を介して前記第２バッテリーと電気的に接続された第２ランプとを有して構成されることを特徴とする請求項１から請求項３のうちいずれか一項に記載の投光機。
【発明の詳細な説明】
【技術分野】
【０００１】
本発明は、土木工事現場やイベント催場等の夜間照明用に使用される投光機に関する。
【背景技術】
【０００２】
道路等の新設、修復工事は、交通規制等のため夜間に行われることが度々であり、また、工事の性質上移動が伴うため、移動性のある夜間照明として移動台車を備えた投光機が用いられている。また、外部電源のない場所での使用を可能にするため、投光機には、電源として発電機を備えたものが多く用いられている。
【０００３】
ところが、発電機を備えた投光機では、発電機の作動により騒音や振動、排気ガス等が発生するという問題がある。そこで、上記問題を解決するため、電源としてバッテリーを備えた投光機が考案されている。そして、バッテリーを備えた投光機によれば、発電機のような騒音や振動等を発生することなく照明を行うことができる。
【０００４】
図７に、従来の投光機に構成される電気部品の回路ブロック図を示す。従来の投光機では、図７に示すように、投光機の照明装置として、例えば、２個のランプ１４１，１４２（例えば、メタルハライドランプ）が用いられる。各ランプ１４１，１４２は、銅鉄式安定器１８３，１８４およびインバータ１８０を介してバッテリー１６１と電気的に接続されており、各ランプ１４１，１４２を点灯させるための電力がバッテリー１６１から供給されるようになっている。
【０００５】
また、バッテリー１６１は、投光機に搭載された充電器１８１を用いて充電されるようになっている。なお、バッテリー１６１から各ランプ１４１，１４２に電力が供給される過程において、インバータ１８０で約１０％の電力損失、さらに、銅鉄式安定器１８３，１８４で約１０％の電力損失があるため、図７に示すような構成の投光機（照明装置）の点灯時間は、最大８時間程度となっている。
【特許文献１】特開２００１−６０４１２号公報
【発明の開示】
【発明が解決しようとする課題】
【０００６】
しかしながら、バッテリーを備えた従来の投光機では、筐体部の内部にバッテリーや充電器等が一緒に収容されていたため、例えば、バッテリーの交換作業や補水作業といった投光機のメンテナンス作業がやりにくかった。また、投光機の点灯時間が最大８時間程度であると、投光機を一晩中連続して点灯させておくことができないことから、１０時間以上の点灯が可能な投光機が望まれていた。
【０００７】
本発明は、このような問題に鑑みてなされたものであり、投光機のメンテナンス性を向上させることを目的とする。
【課題を解決するための手段】
【０００８】
このような目的達成のため、本発明に係る投光機は、照明装置と、照明装置に電力を供給するバッテリーと、バッテリーを充電するための電力を外部電源からバッテリーに供給する充電器と、バッテリーおよび照明装置と電気的に接続されてバッテリーから流れる電流を直流から交流に変換して照明装置に送るインバータ式安定器と、上部に開口を有する箱状に形成されてバッテリーが収容されるバッテリー収容部材と、バッテリー収容部材の上部に開口を覆って開閉可能に取り付けられ、充電器およびインバータ式安定器が収容される制御部収容部材とを備えて構成される。
【０００９】
また、上述の投光機において、バッテリー収容部材の側部にカバー部材（例えば、実施形態における左右カバー部材５３）が開閉可能に取り付けられており、カバー部材を開いてバッテリー収容部材の側部を開放し、開放されたバッテリー収容部材の側部からバッテリーがバッテリー収容部材の内部に収納されることが好ましい。
【００１０】
さらに、上述の投光機において、照明装置を昇降自在に支持する昇降装置と、昇降装置およびバッテリー収容部材が搭載されて移動可能な台車とを備えて構成されることが好ましい。
【００１１】
また、上述の投光機において、バッテリーが、互いに独立して設けられた第１および第２バッテリーから構成され、充電器が、第１バッテリーと電気的に接続された第１充電器と、第２バッテリーと電気的に接続された第２充電器とを有して構成され、インバータ式安定器が、第１バッテリーと電気的に接続された第１安定器と、第２バッテリーと電気的に接続された第２安定器とを有して構成され、照明装置が、第１安定器を介して第１バッテリーと電気的に接続された第１ランプと、第２安定器を介して第２バッテリーと電気的に接続された第２ランプとを有して構成されることが好ましい。
【発明の効果】
【００１２】
本発明によれば、バッテリー収容部材の上部に制御部収容部材が取り付けられるため、制御部収容部材を変位させてバッテリー収容部材の開口を開放することで、バッテリー収容部材に収容されたバッテリーに容易にアクセスすることができ、投光機のメンテナンス性を向上させることができる。また、安定器としてインバータ式安定器を用いることで、照明装置の消費電力を低減させることができ、投光機（照明装置）の点灯時間を１０〜１２時間程度に延ばすことが可能となる。
【００１３】
また、バッテリー収容部材の側部にカバー部材が開閉可能に取り付けられることで、バッテリーをバッテリー収容部材の内部に容易に収納することができる。
【００１４】
さらに、照明装置を昇降自在に支持する昇降装置と、昇降装置およびバッテリー収容部材が搭載されて移動可能な台車とを備えて構成されることで、投光機（照明装置）の高さを容易に変えることができるとともに、投光機を容易に移動させることができる。
【００１５】
また、照明装置が、第１安定器を介して第１バッテリーと電気的に接続された第１ランプと、第２安定器を介して第２バッテリーと電気的に接続された第２ランプとを有して構成されることで、第１および第２ランプに第１および第２バッテリーから互いに独立して電力が供給されるため、安定器の故障等により照明装置が完全に消灯（第１および第２ランプが同時に消灯）してしまうことを防止することができる。さらに、第１および第２バッテリーに対して第１および第２充電器がそれぞれ電気的に接続されることで、バッテリー充電時間を短縮することができる。
【発明を実施するための最良の形態】
【００１６】
以下、本発明の好ましい実施形態について図面を参照しながら説明する。本発明に係る投光機１を図１に示している。この投光機１は、移動自在の台車２と、台車上に搭載された伸縮可能な昇降装置３と、同じく台車上に搭載されたバッテリー収容部材５および制御部収容部材７と、昇降装置３に支持された照明装置４とを主体に構成される。
【００１７】
台車２は、左右一対の前輪２１および後輪２２を備えて、移動自在に構成されており、投光機１を容易に移動させることができるようになっている。台車２には、前後輪２１，２２の方向変換用の操向ハンドル２３や、後輪２２を制動するブレーキ装置（図示せず）等が設けられている。そして、台車２上には、昇降装置３と、バッテリー収容部材５および制御部収容部材７が搭載されている。
【００１８】
昇降装置３は、台車２上に立設固定された第１マスト３１と、第１マスト３１内に出入り自在に挿嵌された第２マスト３２と、第２マスト３２内に出入り自在に挿嵌された第３マスト３３とを主体に構成され、この第３マスト３３の上端部に設けられた取り付け棒３４には、照明装置４が取り付けられる。そして、第２マスト３２及び第３マスト３３は、第１マスト３１に配設されたウィンチ３５のハンドル３６を回して図示しないワイヤーロープを巻き取ることにより、第３マスト３３、第２マスト３２の順に段階的に上昇し、ウィンチ３５のハンドル３６を逆回転してワイヤーロープを繰り出すことにより、第２マスト３２、第３マスト３３の順に段階的に下降するようになっている。
【００１９】
照明装置４は、２つのランプ４１，４２から構成され、これら第１および第２ランプ４１，４２は、第３マスト３３の取り付け棒３４の左右に、それぞれ水平に並んで取り付けられる。なお、第１および第２ランプ４１，４２に構成される電球４１ａ，４２ａは、メタルハライド型であることが好ましい。
【００２０】
バッテリー収容部材５は、図３に示すように、直方体形枠状のフレーム部材５１と、フレーム部材５１の前後を覆う前後カバー部材５２と、フレーム部材５１の左右を覆う左右カバー部材５３とを主体に構成され、内部にバッテリー６１，６２（図２を参照）を収容可能に構成される。フレーム部材５１は、図３に示すように、金属材料を用いて直方体形の枠状に形成される。
【００２１】
フレーム部材５１の底部には、トレー部材５４が左右に並んで配設されており、左右のトレー部材５４の上に第１および第２バッテリー６１，６２がそれぞれ載置されるようになっている。これにより、図２に示すように、バッテリー収容部材５の内部に、第１および第２バッテリー６１，６２がそれぞれ４個ずつ左右に並んで、（第１および第２バッテリー６１，６２が）互いに独立した状態で収容される。なお、トレー部材５４は、Ｌ字アングル形の固定部材５５を用いて、フレーム部材５１の底部に固定支持される。また、フレーム部材５１の下端部四隅には、連結部材５６が取り付けられており、この連結部材５６を台車２に連結固定することで、フレーム部材５１、すなわちバッテリー収容部材５が台車２上に搭載される。
【００２２】
前後カバー部材５２は、金属板材を用いてフレーム部材５１の前後開口を覆う板状に形成され、ネジ等の固定手段によりフレーム部材５１の前後に（フレーム部材５１の前後開口を覆って）取り付けられる。左右カバー部材５３は、前後カバー部材５２と同様に、金属板材を用いてフレーム部材５１の左右開口を覆う板状に形成され、ネジ等の固定手段によりフレーム部材５１の左右に（フレーム部材５１の左右開口を覆って）取り付けられる。これにより、フレーム部材５１の各部に、前後カバー部材５２および左右カバー部材５３、並びにトレー部材５４が取り付けられることで、バッテリー収容部材５が上部に開口５１ａを有する箱状に形成される。
【００２３】
なお、左右カバー部材５３は、フレーム部材５１（バッテリー収容部材５）に対し着脱開閉可能に構成されており、左右カバー部材５３をフレーム部材５１から取り外してバッテリー収容部材５の左右側部を開放した状態で、開放されたバッテリー収容部材５の左右側部から第１および第２バッテリー６１，６２をバッテリー収容部材５の内部に収容するようになっている。これにより、第１および第２バッテリー６１，６２をバッテリー収容部材５の内部に容易に収納することができる。
【００２４】
また、開口５１ａの中央部には、梁部５１ｂが前後に延びてフレーム部材５１の上部に固定されており、この梁部５１ｂの上に、取っ手部材５７がブラケット５８を用いて上下移動可能に取り付けられている。これにより、取っ手部材５７に図示しないクレーンのフックを引っ掛けることで、クレーンによる投光機１の移送が可能になる。
【００２５】
制御部収容部材７は、図４に示すように、板状のプレート部材７１と、プレート部材７１の上方を覆う上部カバー部材７５とを主体に構成され、図２に示すように、ヒンジ機構（図示せず）等を用いて、バッテリー収容部材５の上部にバッテリー収容部材５の開口５１ａを覆って揺動開閉可能に取り付けられる。また、図２に示すように、バッテリー収容部材５と制御部収容部材７とに跨って（右側に）ロック装置６５が設けられており、制御部収容部材７をバッテリー収容部材５に対し閉止保持できるようになっている。
【００２６】
プレート部材７１は、図４に示すように、金属板材を用いて左右が下方へ折り曲げられた板状に形成され、プレート部材７１の上に、第１および第２充電器８１，８２と、第１および第２安定器８３，８４と、操作パネル８５とが図４に示す位置にそれぞれ配設される。また、プレート部材７１の中央には、バッテリー収容部材５の取っ手部材５７が通過可能なプレート部通過穴７２が形成されている。
【００２７】
操作パネル８５には、図２に示すように、第１および第２充電器８１，８２を作動させるための充電スイッチ８６と、第１ランプ４１を点灯させるための第１ランプスイッチ８７と、第２ランプ４２を点灯させるための第２ランプスイッチ８８と、バッテリーの充電量を示すインジケータ８９等が設けられている。
【００２８】
第１充電器８１は、図５に示すように、端子９Ｉ，９Ｊを介して第１バッテリー６１と電気的に接続されるとともに、端子９Ａ，９Ｂを介して充電スイッチ８６と電気的に接続される。そして、充電スイッチ８６がオン作動されると、第１充電器８１は、第１バッテリー６１を充電するための電力を外部電源６０から第１バッテリー６１に供給するようになっている。
【００２９】
第１安定器８３は、端子９Ｅ，９Ｆおよび第１ランプスイッチ８７を介して第１バッテリー６１と電気的に接続されるとともに、照明装置４の第１ランプ４１と電気的に接続される。そして、第１ランプスイッチ８７がオン作動されると、第１安定器８３は、第１バッテリー６１から流れる電流を直流から交流に変換して第１ランプ４１に送るようになっている。また、第１安定器８３は、いわゆるインバータ式安定器（電子安定器とも称される）であり、安定器としてインバータ式安定器を用いることで第１ランプ４１の消費電力を低減させることができ、第１バッテリー６１による第１ランプ４１の点灯時間を１０〜１２時間程度に延ばすことが可能となる。なお、第１安定器８３は、端子９Ｃを介して接地されている。
【００３０】
第２充電器８２は、図５に示すように、端子９Ｋ，９Ｌを介して第２バッテリー６２と電気的に接続されるとともに、端子９Ａ，９Ｂを介して充電スイッチ８６と電気的に接続される。そして、充電スイッチ８６がオン作動されると、第２充電器８２は、第２バッテリー６２を充電するための電力を外部電源６０から第２バッテリー６２に供給するようになっている。また、第２バッテリー６２は、インジケータ８９と電気的に接続されている。
【００３１】
第２安定器８４は、端子９Ｇ，９Ｈおよび第２ランプスイッチ８８を介して第２バッテリー６２と電気的に接続されるとともに、照明装置４の第２ランプ４２と電気的に接続される。そして、第２ランプスイッチ８８がオン作動されると、第２安定器８４は、第２バッテリー６２から流れる電流を直流から交流に変換して第２ランプ４２に送るようになっている。また、第２安定器８４は、いわゆるインバータ式安定器（電子安定器とも称される）であり、安定器としてインバータ式安定器を用いることで第２ランプ４２の消費電力を低減させることができ、第２バッテリー６２による第２ランプ４２の点灯時間を１０〜１２時間程度に延ばすことが可能となる。
【００３２】
なお、図５から分かるように、第１および第２ランプ４１，４２には、第１および第２バッテリー６１，６２から互いに独立して電力が供給されており、安定器８３，８４の故障やバッテリー６１，６２の充電切れ等により、第１および第２ランプ４１，４２が同時に消灯してしまうことを防止している。これにより、安定器８３，８４の故障等により照明装置４が完全に消灯してしまうことを防止することができる。
【００３３】
さらに、図５から分かるように、第１および第２バッテリー６１，６２に対して第１および第２充電器８１，８２がそれぞれ電気的に接続されており、これにより、バッテリー充電時間を１０時間程度に短縮することができる。なお、従来の投光機においては、夜間に投光機を８時間点灯させた場合、バッテリーの充電に１２時間以上の時間を必要としていたため、投光機が稼働しない日中にバッテリーの充電を完了させることができずに、翌晩の照明作業に対応できなくなる場合があった。しかしながら、本実施形態による投光機１によれば、１日２４時間のうち、１０時間を点灯（稼働）時間とし、１０時間をバッテリー充電時間とすることができるため、投光機１（照明装置４）を毎日安定して使用することができる。
【００３４】
また、各端子９Ａ〜９Ｌから構成される集中端子ユニット９は、図２に示すように、制御部収容部材７（プレート部材７１）の下面側に取り付けられており、各端子９Ａ〜９Ｌに計測機器（テスター等）を接触させることで、投光機１に構成される電気部品の導通等を容易にチェックできるようになっている。なお、集中端子ユニット９は、常には図示しないカバーで覆われている。
【００３５】
上部カバー部材７５は、図４に示すように、金属材料を用いて下部が開口した箱状に形成され、プレート部材７１に対してプレート部材７１の上方を覆うように取り付けられる。これにより、プレート部材７１に配設された第１および第２充電器８１，８２と、第１および第２安定器８３，８４と、操作パネル８５とが制御部収容部材７の内部に収容される。
【００３６】
上部カバー部材７５の前部には、操作パネル８５の位置に合わせてパネル穴７６が形成されており、操作パネル８５の前面側を外部露出可能に構成されている。また、このパネル穴７６を覆うようにパネルカバー９１が取り付けられる。パネルカバー９１は、図２に示すように、ヒンジ部材９２を用いて、上部カバー部材７５の前部にパネル穴７６を覆って揺動開閉可能に取り付けられる。
【００３７】
これにより、操作パネル８５の操作時だけパネルカバー９１を開き、操作パネル８５の非操作時にはパネルカバー９１を閉じることで、操作パネル８５および上部カバー部材７５の内部を適切に保護することができる。なお、パネルカバー９１の開閉操作はハンドル９３を用いて行われる。また、パネルカバー９１の中央には、操作パネル８５（もしくは、パネル穴７６）の位置に合わせて透視窓９４が設けられており、パネルカバー９１を閉じた状態で操作パネル８５を視認することができるようになっている。
【００３８】
上部カバー部材７５の上部中央には、図４に示すように、カバー部通過穴７７が形成されており、バッテリー収容部材５の取っ手部材５７が通過できるようになっている。また、このカバー部通過穴７７を覆うように天井カバー９６が取り付けられる。天井カバー９６は、図２に示すように、ヒンジ部材９７を用いて、上部カバー部材７５の上部中央にカバー部通過穴７７を覆って揺動開閉可能に取り付けられる。なお、天井カバー９６の開閉操作は取っ手９８を用いて行われる。
【００３９】
このように構成される投光機１において、前述したように、充電器８１，８２や安定器８３，８４が収容された制御部収容部材７がバッテリー収容部材５の上部にバッテリー収容部材５の開口５１ａを覆って揺動開閉可能に取り付けられている。これにより、図２に示すように、制御部収容部材７を揺動変位させてバッテリー収容部材５の開口５１ａを開放することで、バッテリー収容部材５に収容された各バッテリー６１，６２に容易にアクセスすることができ、例えば、バッテリー６１，６２の補水作業が容易となることから、投光機１のメンテナンス性が向上する。また、制御部収容部材７を揺動変位させた状態で、制御部収容部材７の下面側に取り付けられた集中端子ユニット９に容易にアクセスすることができるため、投光機１のメンテナンス性がさらに向上する。
【００４０】
そして、制御部収容部材７がバッテリー収容部材５に対して閉じた状態（開口５１ａを覆う状態）で、投光機１が使用に供される。投光機１による照明を行うには、まず、投光機１を所望の場所に移動させ、図１に示すように、昇降装置３を用いて照明装置４を所望の高さまで上昇させた後、操作パネル８５の第１ランプスイッチ８７または第２ランプスイッチ８８をオン操作すればよい。
【００４１】
第１ランプスイッチ８７がオン操作されると、図５に示すように、第１バッテリー６１から第１安定器８３を介して第１ランプ４１に電流が流れ、照明装置４の第１ランプ４１が点灯する。さらに、第２ランプスイッチ８８がオン操作されると、第２バッテリー６２から第２安定器８４を介して第２ランプ４２に電流が流れ、照明装置４の第２ランプ４２が点灯する。
【００４２】
なお、詳細図示しないが、制御部収容部材７がバッテリー収容部材５に対して閉じた状態（開口５１ａを覆う状態）では、バッテリー収容部材５の取っ手部材５７がプレート部材７１のプレート部通過穴７２を通過して制御部収容部材７の内部に位置するようになっている。そのため、図６に示すように、天井カバー９６を開いて上部カバー部材７５のカバー部通過穴７７を開放し、取っ手部材５７を上方へ移動させて開放されたカバー部通過穴７７から取っ手部材５７の上部を突出させることで、制御部収容部材７（上部カバー部材７５）の上部に突出する取っ手部材５７にクレーンのフック（図示せず）を引っ掛けることができる。これにより、クレーンによる投光機１の移送が可能となり、投光機１を容易に運ぶことができる。
【００４３】
以上のような構成の投光機１によれば、バッテリー収容部材５の上部に制御部収容部材７が取り付けられるため、制御部収容部材７を揺動変位させてバッテリー収容部材５の開口５１ａを開放することで、バッテリー収容部材５に収容されたバッテリー６１，６２に容易にアクセスすることができ、投光機１のメンテナンス性を向上させることができる。また、安定器としてインバータ式安定器を用いることで、照明装置４の消費電力を低減させることができ、投光機１（照明装置４）の点灯時間を１０〜１２時間程度に延ばすことが可能となる。
【００４４】
また、バッテリー収容部材５の側部に左右カバー部材５３が開閉可能に取り付けられることで、バッテリー６１，６２をバッテリー収容部材５の内部に容易に収納することができる。
【００４５】
さらに、照明装置４を昇降自在に支持する昇降装置３と、昇降装置３およびバッテリー収容部材５が搭載されて移動可能な台車２とを備えて構成されることで、投光機１（照明装置４）の高さを容易に変えることができるとともに、投光機１を容易に移動させることができる。
【００４６】
また、照明装置４が、第１安定器８３を介して第１バッテリー６１と電気的に接続された第１ランプ４１と、第２安定器８４を介して第２バッテリー６２と電気的に接続された第２ランプ４２とを有して構成されることで、第１および第２ランプ４１，４２に第１および第２バッテリー６１，６２から互いに独立して電力が供給されるため、安定器８３，８４の故障等により照明装置４が完全に消灯（第１および第２ランプ４１，４２が同時に消灯）してしまうことを防止することができる。さらに、第１および第２バッテリー６１，６２に対して第１および第２充電器８１，８２がそれぞれ電気的に接続されることで、バッテリー充電時間を短縮することができる。
【００４７】
なお、上述の実施形態において、制御部収容部材７がバッテリー収容部材５の上部に揺動開閉可能に取り付けられているが、これに限られるものではなく、例えば、制御部収容部材７がバッテリー収容部材５の上部にスライド開閉可能に取り付けられてもよく、制御部収容部材がバッテリー収容部材の上部に開口を覆って開閉可能に取り付けられていればよい。
【００４８】
また、上述の実施形態において、左右カバー部材５３がバッテリー収容部材５の側部に着脱開閉可能に取り付けられているが、これに限られるものではなく、例えば、左右カバー部材５３がバッテリー収容部材５の側部に揺動開閉可能に取り付けられてもよく、左右カバー部材がバッテリー収容部材の側部に開閉可能に取り付けられていればよい。
【図面の簡単な説明】
【００４９】
【図１】本発明に係る投光機の斜視図である。
【図２】上記投光機において、制御部収容部材を揺動させてバッテリー収容部材の開口を開放した状態を示す拡大斜視図である。
【図３】バッテリー収容部材の分解斜視図である。
【図４】制御部収容部材の分解斜視図である。
【図５】上記投光機に構成される電気部品の回路ブロック図である。
【図６】制御部収容部材の拡大斜視図である。
【図７】従来の投光機に構成される電気部品の回路ブロック図である。
【符号の説明】
【００５０】
１  投光機
２  台車
３  昇降装置
４  照明装置
５  バッテリー収容部材
７  制御部収容部材
４１  第１ランプ（４１ａ  電球）
４２  第２ランプ（４２ａ  電球）
５１  フレーム部材（５１ａ  開口、５１ｂ  梁部）
５３  左右カバー部材（カバー部材）
６０  外部電源
６１  第１バッテリー
６２  第２バッテリー
８１  第１充電器
８２  第２充電器
８３  第１安定器（インバータ式安定器）
８４  第２安定器（インバータ式安定器）
【図１】
2006004763.tif 000003
【図２】
2006004763.tif 000004
【図３】
2006004763.tif 000005
【図４】
2006004763.tif 000006
【図５】
2006004763.tif 000007
【図６】
2006004763.tif 000008
【図７】
2006004763.tif 000009